(57)【要約】【課題】  本体部及び環状固定部材における結露水の発生を防止したパンカールーバーを提供すること。【解決手段】  本発明に係るパンカールーバーは、部分球体部１０の一端に入口側開口部１１を、他端に吹出ノズル部１２を備えた本体部１及び本体部１を任意の方向に回動自在に支持する環状固定部材２の全ての内表面側及び外表面側に樹脂をコーティングする。また、樹脂のコーティングに代わって又は付加して、本体部１が任意の方向への回動可能となるように、取付壁体３５の給気ダクト３側に位置する環状固定部材２の表面及び端面、並びに、部分球体部１０の外表面を覆う外側断熱部材４１と、部分球体部１０の内表面を覆う内側断熱部材５１と、部分球体部１０の外表面と環状固定部材２との隙間をシールする第１シール材とを有するようにしてもよい。【選択図】      図１
2006046689.tif 000002
【特許請求の範囲】
【請求項１】
部分球体部の一端に給気ダクトに連通するための入口側開口部を備え、他端に円筒状の吹出ノズル部を備えた本体部と、
部分球体部の最大径付近における外表面を回動自在に支持する球面支持部を内周側に備え、取付壁体への取付用の鍔状部を外周側に備えた環状固定部材と
を有し、
本体部及び環状固定部材は、内外全表面が樹脂コーティングされてなる
ことを特徴とするパンカールーバー。
【請求項２】
部分球体部の一端に給気ダクトに連通するための入口側開口部を備え、他端に円筒状の吹出ノズル部を備えた本体部と、
部分球体部の最大径付近における外表面を回動自在に支持する球面支持部を内周側に備え、取付壁体への取付用の鍔状部を外周側に備えた環状固定部材と、
本体部が任意の方向への回動可能となるように、取付壁体の給気ダクト側に位置する環状固定部材の表面及び端面を覆うとともに、取付壁体の給気ダクト側に位置する部分球体部の外表面を覆う外側断熱部材と、
部分球体部の内表面を覆う内側断熱部材と、
部分球体部の外表面と環状固定部材との隙間をシールする第１シール材と
を有することを特徴とするパンカールーバー。
【請求項３】
環状固定部材及び本体部は、内外全表面が樹脂コーティングされてなることを特徴とする請求項２記載のパンカールーバー。
【請求項４】
外側断熱部材は、発泡樹脂成形品と第２シール材とからなり、
発泡樹脂成形品は、内部に、本体部を任意の方向に回動可能としながら、部分球体部の外表面を覆う球状空間部と、この球状空間部と給気ダクトとを連通する連絡通路を有し、
第２シール材は、この球状空間部における内面と部分球体部との隙間をシールするものであることを特徴とする請求項２又は３記載のパンカールーバー。
【請求項５】
前記発泡樹脂成形品は、連絡通路の給気ダクト側の開口部が給気ダクト側に拡大するテーパ状部に形成されていることを特徴とする請求項４記載のパンカールーバー。
【請求項６】
前記外側断熱部材、内側断熱部材、第１シール材及び第２シール材は、それぞれ耐油性材料からなることを特徴とする請求項４又は５記載のパンカールーバー。
【請求項７】
外側断熱部材は、一端を環状固定部材に固定し、他端を環状固定部材から部分球体部の入口側開口部の端面を経由して内側断熱部材の内表面の一部を覆うように延設して、取付壁体の給気ダクト側に位置する環状固定部材の表面及び端面、並びに部分球体部の外表面を覆う伸縮性カバーとして形成されていることを特徴とする請求項２又は３記載のパンカールーバー。
【請求項８】
外側断熱部材としての伸縮性カバーは、部分球体部の内表面側及び外表面側に位置する各部分において、当該カバーの端部から入口側開口部にかけて伸縮可能な蛇腹式に形成されていることを特徴とする請求項７記載のパンカールーバー。
【請求項９】
前記内側断熱部材は、部分球体部の内表面に対し発泡樹脂一体成形により接合されてなることを特徴とする請求項２〜８の何れか１項に記載のパンカールーバー。
【請求項１０】
前記内側断熱部材は、吹出ノズル部の吹出口近傍に内側へ環状に突出する環状突出部を有することを特徴とする請求項２〜９の何れか１項記載のパンカールーバー。
【発明の詳細な説明】
【技術分野】
【０００１】
本発明は、パンカールーバーに係り、特にパンカールーバーの結露防止構造に関する。
【背景技術】
【０００２】
工場、倉庫、競技場、業務用の厨房などの大空間において、冷暖房を行う場合、処理空気を目的場所に向かってスポット的に到達させるための吹出口構造として、パンカールーバーが用いられている。このパンカールーバーの一般的な構造は、図５の斜視図、及び図６の取り付け状態における断面図に示すようなものである。これら図に基づきさらに具体的に説明する。従来一般のパンカールーバーは、本体部１及び環状固定部材２からなるものであって、これら部品はアルミニウム製である。本体部１は、部分球体部１０一端側に給気ダクト３に連通するための入口側開口部１１を有し、他端側に円筒状の吹出ノズル部１２を有している。なお、吹出ノズル部１２の内側には吹出ノズル部１２の開口度を調節するシャッター１３が取り付けられている。このシャッター１３は、吹出ノズル部１２を閉鎖可能とする部分球面に形成されており、板ばね１５により常に部分球体部の内面に押し付けられている。そして、シャッター１３は、開閉ノブ１４を回転させることにより、開閉ノブ１４を支軸として部分球体部１０の内面を摺動しながら吹出ノズル部１２の開度を可変にすることができるように形成されている。
【０００３】
環状固定部材２は、環状の外側枠部材２１と環状の内側枠部材２２とからなる。外側枠部材２１は、内周側に部分球体部１０の外表面に沿う球面支持部２３が形成され、この球面支持部２３で部分球体部１０の最大径付近を支持するように構成されている。なお、外側枠部材２１の球面支持部２３は、先端部にはリブとしての機能を成す小さな立上片部２３ａを有している。また、外側枠部材２１は、球面支持部２３の取付壁体３５側の端部から半径方向の外側に向かって突出する鍔状部２４を備えている。また、外側枠部材２１の鍔状部２４の先端部にはリブとしての機能を立上片部２４ａが取付壁体３５に向かって形成されている。
【０００４】
内側枠部材２２は、外側枠部材２１と協働して本体部１の部分球面部の最大径付近を支持するように、外側枠部材２１に重ねて取り付けられている。この内側枠部材２２をより具体的に説明する。内側枠部材２２は、内周側に部分球体部１０の外表面に沿う球面支持部２５が形成され、この球面支持部２５の先端部には、外側枠部材２１と同様に、リブとしての機能を成す小さな立上片部２５ａを有している。また、球面支持部２５の吹出ノズル部１２側端部から半径方向の外側に向かって突出する鍔状部２６を備えている。そして、鍔状部２６が外側枠部材２１の鍔状部２４内に収まるように取り付けられ、内側枠部材２２の球面支持部２５が取付壁体３５の開口内に入り込むように取り付けられる。これにより、部分球体部１０の最大径部分が外側枠部材２１と内側枠部材２２とにより挟み込まれるように、かつ、任意の方向に回動可能に支持される。なお、外側枠部材２１の球面支持部２３及び内側枠部材２２の球面支持部２５の先端に立上片部２３ａ、２５ａが設けられているので、外側枠部材２１の球面支持部２３及び内側枠部材２２の球面支持部２５と本体部１の球面を成す外表面との間に隙間が生じ、この隙間から冷気などが漏れるのを防止するために第１シール材２８が設けられている。この第１シール材２８は、パンカールーバーの組み立て前に予め外側枠部材２１の球面支持部２３及び内側枠部材２２の球面支持部２５の内面に接着されている。
【０００５】
このように構成されたパンカールーバーの組立て及び取付けは、次のように行う。まず、外側枠部材２１の内周側に本体部１の部分球面部を落し込み、その上から内側枠部材２２を重ね合わせ、外側枠部材２１と内側枠部材２２とで本体部１を摺動可能状態に保持する。一方、ダクト３と取付壁体３５との間に連結ダクト３３を取り付ける。このとき、連結ダクト３３は、一端側ではフランジ部３３ａが取付壁体３５の外側に押し付けられる状態として、他端側で吹出チャンバ３１に螺子止めされている。次に、前記のように外側枠部材２１、内側枠部材２２及び本体部１を組合せたものの部分球体部１０の開口側を、取付壁体３５の取付開口部３５ａから連結ダクト内に挿入する。そして、環状固定部材２を固定用螺子３６により取付壁体３５に螺子止めして、取付壁体３５に取り付けている。この場合、前述の鍔状部３３ａ、環状固定部材２における鍔状部２４及び鍔状部２６が取付壁体３５に対し共締めされている。また、パンカールーバーを取り付けた状態において、給気ダクト３からの冷気がこのパンカールーバーの外側に漏れると、パンカールーバー及びその付近に結露する原因となるので、環状固定部材２は取付壁体３５に対し隙間を生じないようにきっちり取り付ける必要がある。このため、環状固定部材２の鍔状部２４，２６と取付壁体３５との隙間には適宜シール材が用いられている。
このように構成された従来一般のパンカールーバーでは、連結ダクト３３内において部分球状体を成すパンカールーバーの本体部１及び環状固定部材２が吹出空気に直接触れるように構成されている。このため冷気が供給されてきた場合には、本体部１及び環状固定部材２の全体が冷却される。この結果、吹出ノズル部１２側から冷気を吹き出すと（図６における実線矢印Ａ参照）、室内の高温多湿の空気が環状固定部材２や本体部１に接触するように誘引され（図６における破線矢印Ｂ参照）、室内空気中に含まれていた水分が環状固定部材２や本体部１の表面に結露する。この結露水は、落下して人の洋服を汚したり、人体に直接降りかかって不快感を与えたり、室内を汚したり、室内のカビを発生させたりするなどの弊害をもたらしていた。特に、レストラン、ホテル等の業務用の厨房に使用される場合には、室内空気も高湿度であるので、結露も発生し易く大きな問題となっていた。
【０００６】
このような問題を解消するものとして、特許文献１に記載のようなパンカールーバーが提案されている。このパンカールーバーでは、ノズル本体（本発明における部分球体部１０相当）における取付壁体の外側に露出する部分に複数個の小孔を設けたものである。このパンカールーバーは、小孔から吹き出した冷気によりパンカールーバーの周辺部を覆い、これにより室内空気が本体部や環状固定部材に到達するのを阻止して、パンカールーバーにおける結露を防止しようとしたものである。
【特許文献１】実開平５−７３４４１号公報
【発明の開示】
【発明が解決しようとする課題】
【０００７】
ところが、この特許文献１のものでは、小孔からの吹き出した冷気によりパンカールーバー周辺を覆うようにすると、肝心の吹出ノズル部からの風量が減少し本来の目的場所に冷気を吹き付ける機能が低下するという問題があった。また、室内空気がパンカールーバーの環状固定部材や本体部に接触することを完全に防止することも困難であり、結露を完全に防止することが困難であった。
【０００８】
本発明は、このような背景に基づきなされたものであって、本体部及び環状固定部材における結露水の発生を防止したパンカールーバーを提供することを目的とする。
【課題を解決するための手段】
【０００９】
本発明に係るパンカールーバーは上記課題を解決するためになされたものであって、第１の発明は、部分球体部の一端に給気ダクトに連通するための入口側開口部を備え、他端に円筒状の吹出ノズル部を備えた本体部と、部分球体部の最大径付近における外表面を回動自在に支持する球面支持部を内周側に備え、取付壁体への取付用の鍔状部を外周側に備えた環状固定部材とを有し、本体部及び環状固定部材は、内外全表面が樹脂コーティングされてなることを特徴とする。
【００１０】
また、第２の発明は、部分球体部の一端に給気ダクトに連通するための入口側開口部を備え、他端に円筒状の吹出ノズル部を備えた本体部と、部分球体部の最大径付近における外表面を回動自在に支持する球面支持部を内周側に備え、取付壁体への取付用の鍔状部を外周側に備えた環状固定部材と、本体部が任意の方向への回動可能となるように、取付壁体の給気ダクト側に位置する環状固定部材の表面及び端面を覆うとともに、取付壁体の給気ダクト側に位置する部分球体部の外表面を覆う外側断熱部材と、部分球体部の内表面を覆う内側断熱部材と、部分球体部の外表面と環状固定部材との隙間をシールする第１シール材とを有することを特徴とする。
【００１１】
また、第３の発明は、第２の発明において、環状固定部材及び本体部は、内外全表面が樹脂コーティングされてなることを特徴とする。
また、第４の発明は、第２又は第３の発明において、外側断熱部材は、発泡樹脂成形品と第２シール材とからなり、発泡樹脂成形品は、内部に、本体部を任意の方向に回動可能としながら、部分球体部の外表面を覆う球状空間部と、この球状空間部と給気ダクトとを連通する連絡通路を有し、第２シール材は、この球状空間部における内面と部分球体部との隙間をシールするものであることを特徴とする。
【００１２】
また、第５の発明は、第４の発明において、発泡樹脂成形品は、連絡通路の給気ダクト側の開口部が給気ダクト側に拡大するテーパ状部に形成されていることを特徴とする。
また、第６の発明は、第４又は第５の発明において、前記外側断熱部材、内側断熱部材、第１シール材及び第２シール材は、それぞれ耐油性材料からなることを特徴とする。
【００１３】
また、第７の発明は、第２又は第３の発明において、外側断熱部材は、一端を環状固定部材に固定し、他端を環状固定部材から部分球体部の入口側開口部の端面を経由して内側断熱部材の内表面の一部を覆うように延設して、取付壁体の給気ダクト側に位置する環状固定部材の表面及び端面、並びに部分球体部の外表面を覆う伸縮性カバーとして形成されていることを特徴とする。
【００１４】
また、第８の発明は、第７の発明において、外側断熱部材としての伸縮性カバーは、部分球体部の内表面側及び外表面側に位置する各部分において、当該カバーの端部から入口側開口部にかけて伸縮可能な蛇腹式に形成されていることを特徴とする。
【００１５】
また、第９の発明は、第２〜８の何れかの発明において、前記内側断熱部材は、部分球体部の内表面に対し発泡樹脂一体成形により接合されてなることを特徴とする。
また、第１０の発明は、第２〜第９の何れかの発明において、前記内側断熱部材は、吹出ノズル部の吹出口近傍に内側へ環状に突出する環状突出部を有することを特徴とする。
【発明の効果】
【００１６】
第１の発明に係るパンカールーバーによれば、本体部及び環状固定部材は、内外全表面に樹脂コーティングされているので、本体部及び環状固定部材の温度の低下を抑制し、本体部及び環状固定部材における結露を軽減することができる。
【００１７】
また、第２の発明によれば、取付壁体の給気ダクト側に位置する環状固定部材の表面及び端面を覆うとともに、取付壁体の給気ダクト側に位置する部分球体部の外表面を覆う外側断熱部材と、部分球体部の内表面を覆う内側断熱部材と、部分球体部の外表面と環状固定部材との隙間をシールする第１シール材とを有するので、本体部及び環状固定部材が冷気に触れるのを遮断することができる。この結果、取付壁体の外側に位置する本体部及び環状固定部材の温度が低下しないので、環状固定部材及び本体部における結露を防止することができる。
【００１８】
また、第３の発明によれば、第２の発明において、本体部及び環状固定部材は、内外全表面が樹脂コーティングされているので、より一層確実に環状固定部材及び本体部の温度低下を防止し、より一層確実に本体部及び環状固定部材における結露を防止することができる。
【００１９】
また、第４の発明によれば、第２又は第３の発明において、外側断熱部材は、発泡樹脂成形品と第２シール材とからなり、発泡樹脂成形品は、内部に、本体部を任意の方向に回動可能としながら、部分球体部の外表面を覆う球状空間部と、この球状空間部と給気ダクトとを連通する連絡通路を有し、第２シール材は、この球状空間部における内面と部分球体部との隙間をシールするものであるので、本体部の任意の方向の回動を可能にしながら、本体部及び環状固定部材の断熱を行うことができる。
【００２０】
また、第５の発明によれば、第４の発明において、発泡樹脂成形品における給気ダクトに連通する開口部が給気ダクト側に拡大するテーパ状部に形成されているので、パンカールーバーにおける通風抵抗を低減することができる。
【００２１】
また、第６の発明によれば、第４又は第５の発明において、外側断熱部材、内側断熱部材、第１シール材及び第２シール材を、それぞれ耐油性材料から形成しているので、パンカールーバーへの結露が生じや易く、空気中に多くの油成分が浮遊している厨房に使用しても油成分により耐久性が低下するようなことがない。
【００２２】
また、第７の発明によれば、第２又は第３の発明において、外側断熱部材は、一端を環状固定部材に固定し、他端を環状固定部材から部分球体部の入口側開口部の端面を経由して内側断熱部材の内表面の一部を覆うように延設することにより、取付壁体の給気ダクト側に位置する環状固定部材の表面及び端面、並びに部分球体部の外表面を覆う伸縮性カバーとして形成されているので、本体部及び環状固定部材はこのカバー内に形成される空気層により断熱することができ、本体部及び環状固定部材の結露を防止することができる。
【００２３】
また、第８の発明によれば、第７の発明において、外側断熱部材としての伸縮性カバーは、部分球体部の内表面側及び外表面側に位置する各部分において、当該カバーの端部から入口側開口部にかけて伸縮可能な蛇腹式に形成されているので、断熱効果に影響を与えることなく本体部を支障なく回動させることができる。
【００２４】
また、第９の発明によれば、第２〜第８の何れかの発明において、内側断熱部材は、部分球体部の内表面に対し発泡樹脂一体成形により接合されているので、内側断熱部材を本体内部に容易に取り付けることができ、接合面の気密性もよく断熱効果も良好となる。
【００２５】
また、第１０の発明によれば、第２〜第９の発明において、内側断熱部材は、吹出ノズル部の吹出口近傍に内側へ環状に突出する環状突出部を有しているので、吹出ノズル部から噴出される冷風を、吹出ノズル部の中央部に絞ることができる。したがって、吹出ノズル部で室内空気が誘引されても、この誘引空気は内側断熱部材の環状突出部の表面を通過するだけであるので、この誘引による結露問題をより一層確実に防止することができる。
【発明を実施するための最良の形態】
【００２６】
（実施の形態１）
以下に、本発明を具体化した実施の形態１に係るパンカールーバーの構成を図１及び図２に基づいて説明する。なお、図１は、実施の形態１に係るパンカールーバーの側断面図であり、吹出方向が取付壁体に対し直角を成している状態を示す。図２は同パンカールーバーの側断面図であり、吹出方向が取付壁体に対し傾斜している状態を示す。実施の形態１のパンカールーバーは、前述の従来一般のパンカールーバーに対し結露回避のための改良を加えたものであるので、従来一般のものと同一の部分については同一の符号を付し、その説明を簡略化する。
【００２７】
実施の形態１に係るパンカールーバーは、前述の従来一般のパンカールーバーが取り付けられているのと同一の場所に取り付けられている。したがって、給気ダクト３の構成部材を成す吹出チャンバ３１及び連結ダクト３３は前述の従来一般のものと同一である。また、パンカールーバーにおける本体部１、環状固定部材２及び第１シール材２８は、前述の従来一般のパンカールーバーにおけるものと同一の構成である。また、従来のものと同様に、環状固定部材２は取付壁体３５に対し隙間を生じないようにきっちり取り付ける必要がある。このため、環状固定部材２の鍔状部２４，２６と取付壁体３５との隙間には適宜シール材が用いられている。第１シール材２８としては、独立気泡ポリエチレンフォームや合成ゴムＥＤＰＭ（エチレン・プロピレン共重合体）を発泡させたものが用いられている。
【００２８】
以下この実施の形態１について、従来と異なる部分についてさらに具体的に説明する。まず、この実施の形態１においては、本体部１及び環状固定部材２の内外全表面に耐油性材料から成る樹脂がコーティングされている。樹脂コーティング材として、ポリアミド、ケン化ＥＶＡ、変性ポリエチレン、ポリエチレンなどの樹脂材料が用いられている。また、コーティング方法とし粉体塗装、流動浸漬法などが適用される。また、このようなコーティングを行うことにより、本体部１及び環状固定部材２が連結ダクト３３内で冷却され難いようになる。また、このように本体部１及び環状固定部材２の内外全表面に耐油性材料から成る発泡樹脂コーティングを施すと、室内空気が例え本体部１及び環状固定部材２に触れるようなことがあっても、結露し難くなる。なお、本実施の形態においては以下に述べるようにさらなる結露対策が設けられている。すなわち、本実施の形態においては、本体部１及び環状固定部材２が連結ダクト３３内等において冷気に直接触れることを防止するために、以下に述べる外側断熱部材４１と内側断熱部材５１とが設けられている。
【００２９】
外側断熱部材４１は、取付壁体３５の給気ダクト３側に位置する環状固定部材２の表面及び端面を覆うとともに、取付壁体３５の給気ダクト側に位置する部分球体部１０の外表面を覆うものである。また、外側断熱部材４１は、発泡樹脂成形品４２、第２シール材４４及び第３シール材４２ａとから構成されている。発泡樹脂成形品４２は、内部に、本体部１を任意の方向に回動可能としながら、部分球体部１０の外表面を覆う球状空間部４５と、この球状空間部４５と給気ダクト３とを連通する連絡通路４３を有している。また、発泡樹脂成形品４２では、連絡通路４３の給気ダクト３側の開口部が給気ダクト３側に拡大するテーパ状部４６に形成されている。この発泡樹脂成形品４２は、内部で本体部１を任意の方向に回動可能に支持する機能が必要となるため剛性を持つように構成されている。また、発泡樹脂成形品４２は、室内空気中に油成分が多量浮遊する厨房でパンカールーバーを使用しても支障が生じないように、耐油性の材料が用いられている。この発泡樹脂成形品４２の材料としては、難燃性、耐油性の高発泡ポリエチレンや高発泡ポリプロピレンが用いられている。
【００３０】
第２シール材４４は、発泡樹脂成形品４２の球状空間部４５における内面と本体部１との隙間をシールするように、発泡樹脂成形品４２の球状空間部４５における内面に接着されている。また、第２シール材４４は、発泡樹脂成形品４２の球状空間部４５における内面と本体部１との隙間をシールするシール機能を持たせる必要があることから弾性的な材料から構成されている。第３シール材４２ａは、外側断熱部材４１の上部には、連結ダクト３３との隙間を埋めて、外側断熱部材４１と連結ダクト３３との隙間から冷気が漏れるのを防止するためのリング状シール材である。第２シール材４４及び第３シール材４２ａの材料としては、発泡樹脂成形品４２の場合と同様に、室内空気中に油成分が多量に浮遊する厨房でパンカールーバーを使用しても支障が生じないように、耐油性の材料が用いられている。この具体的な材料としては、独立気泡ポリエチレンフォームや合成ゴムＥＤＰＭ（エチレン・プロピレン共重合体）を発泡させたものが用いられている。
【００３１】
また、発泡樹脂成形品４２の外部形状は、連結ダクト３３の内部形状に沿うように形成されている。そして、発泡樹脂成形品４２は、一端において環状固定部材２の内側枠部材２２に固定されている。したがって、この発泡樹脂成形品４２の取付は、本体部１と環状固定部材２とを組み合わせるときに、内側枠部材２２に取り付けられている。したがって、このように組み合わされたものを取付壁体３５に取り付けるときには、取付壁体３５の取付開口部３５ａから連結ダクト３３内に発泡樹脂成形品４２を挿入するように押し込まれる。また、発泡樹脂成形品４２の連絡通路４３の給気ダクト３側の開口部は、給気ダクト３側に拡大するテーパ状部４６に形成されている。
【００３２】
内側断熱部材５１は、部分球体部１０の内表面及び部分球体部１０の給気ダクト３側の端部が給気ダクト３からの冷気に晒されないように、部分球体部１０の内表面から部分球体部１０の給気ダクト側端部を覆うように、本体部１に対し一体的に発泡樹脂成形されて気密に固定されている。また、シャッター１３の内面側およびシャッター１３の端面を覆うシャッター断熱材５５が形成されている。また、内側断熱部材５１の吹出ノズル部１２の吹出口近傍には、内側へ環状に突出する環状突出部５３が設けられている。なお、これら内側断熱部材５１およびシャッター断熱材５５も、油成分を多量に含む空気の漂う厨房にパンカールーバーを使用しても支障が生じないように、耐油性能のある材料が用いられている。具体的には、前述の外側断熱部材４１の場合と同様の材料が用いられている。
【００３３】
本実施の形態は、以上のように構成されているので、次のような作用効果を奏することができる。
（１）  本実施の形態に係るパンカールーバーによれば、本体部１及び環状固定部材２は、内外全表面に樹脂コーティングされているので、本体部１及び環状固定部材２の温度の低下を抑制し、本体部１及び環状固定部材２における結露を軽減することができる。
【００３４】
（２）  また、本実施の形態に係るパンカールーバーによれば、環状固定部材２の給気ダクト３側に位置する環状固定部材２の表面及び端面を覆うとともに、環状固定部材２の給気ダクト３側に位置する部分球体部１０の外表面を回動可能に覆う外側断熱部材４１と、部分球体部１０の内表面を覆う内側断熱部材５１と、部分球体部１０の外表面と環状固定部材２との隙間をシールする第１シール材２８とを備えているので、本体部１及び環状固定部材２が冷気に触れるのを遮断することができる。この結果、取付壁体３５の外側に位置する本体部１及び環状固定部材２の温度が低下しないので、本体部１及び環状固定部材２における結露を防止することができる。
【００３５】
（３）  また、この場合において、本体部１及び環状固定部材２は、内外全表面が樹脂コーティングされているので、より一層確実に本体部１及び環状固定部材２の温度低下を防止し、より一層確実に本体部１及び環状固定部材２における結露を防止することができる。
【００３６】
（４）  また、本実施の形態に係るパンカールーバーによれば、発泡樹脂成形品４２と第２シール材４４とから外側断熱部材４１を構成し、さらに、発泡樹脂成形品４２は、内部に、本体部１を任意の方向に回動可能としながら、部分球体部１０の外表面を覆う球状空間部４５と、この球状空間部４５と給気ダクト３とを連通する連絡通路４３とを有し、第２シール材は、この球状空間部４５の内面と部分球体部１０との隙間をシールするものであるので、本体部１の任意の方向の回動を可能にしながら、本体部１及び環状固定部材２の断熱を行うことができる。
【００３７】
（５）  また、上記発泡樹脂成形品４２における連絡通路４３の給気ダクト３側の開口部が、給気ダクト３側に拡大するテーパ状部４６に形成されているので、パンカールーバーにおける通風抵抗を低減することができる。
【００３８】
（６）  また、本実施の形態に係るパンカールーバーによれば、外側断熱部材４１、内側断熱部材５１及び第１シール材２８及び第２シール材４４が、それぞれ耐油性材料から形成されているので、油成分が空気中に含まれる厨房に使用しても、油成分による耐久性が劣化の問題が生じない。
【００３９】
（７）  また、内側断熱部材５１を、部分球体部１０の内表面に対し発泡樹脂一体成形により接合しているので、内側断熱部材５１を容易に本体部１の内面に接合させることができ、接合面の気密性も良くなり、断熱効果も良好となる。
【００４０】
（８）  また、内側断熱部材５１は、吹出ノズル部１２の吹出口近傍に内側へ環状に突出する環状突出部５３を有しているので、吹出ノズル部１２から噴出される冷風を、吹出ノズル部１２の中央部に絞ることができる。したがって、吹出ノズル部１２の出口付近で室内空気が誘引されても、誘引空気は内側断熱部材５１の環状突出部５３の表面を通過するだけであるので、この誘引空気による結露問題をより一層確実に防止することができる。
【００４１】
（実施の形態２）
実施の形態２は、実施の形態１において、外側断熱部材を他の構成に変更したものである。これを図３及び図４に基づき説明する。図３は実施の形態２に係るパンカールーバーの側断面図であり、吹出方向が取付壁体に対し直角を成している状態を示す。図４は同パンカールーバーの側断面図であり、吹出方向が取付壁体に対し傾斜させている状態を示す。なお、実施の形態１と同一の部分には同一の符号を付し、その説明を簡略化する。
【００４２】
実施の形態２における外側断熱部材６１は、一端を環状固定部材２に固定し、他端を環状固定部材２から部分球体部１０の入口側開口部１１の端面を経由して内側断熱部材５１の内表面の一部を覆うように延設して、取付壁体３５の給気ダクト３側に位置する環状固定部材２の表面及び端面、並びに部分球体部１０の外表面を覆う伸縮性カバーとして形成されている。また、伸縮性カバーの具体例としては、提灯の蛇腹構造式のものが部分球体部１０の内表面側及び外表面側に形成され、かつ、この蛇腹構造式のカバーが部分球体部１０の入口側開口部１１の端面を経由して連続するように形成されたものである。したがって、本体部１及び環状固定部材２は、この蛇腹構造式のカバーにより給気ダクト３から供給される冷気と遮断され、蛇腹構造式カバー内の空気層６２により断熱される。
【００４３】
なお、この実施の形態２において、連結ダクト３３は、外側断熱部材６１が蛇腹式に構成されていることから、実施の形態１の場合よりも断面積が大きく形成されているため、取り付け壁面との接合部の構造が異なっている。また、この実施の形態２においては、シャッター断熱材５５（実施の形態1参照）が省略されているが、実施の形態１の場合のように貼付することも可能である。
【００４４】
実施の形態２に係るパンカールーバーは以上のように構成されているので、次のような効果を奏することができる。
（１）  本体部１及び環状固定部材２が、前述のように構成された伸縮性カバーにより覆われているので、カバー内に形成される空気層により断熱され、本体部１及び環状固定部材２の結露が防止される。
【００４５】
（２）  また、外側断熱部材としての伸縮性カバーが前述のような蛇腹式に形成されているので、断熱効果に影響を与えることなく本体部を支障なく回動させることができる。
（３）  実施の形態１と共通の構成であることに関して、実施の形態１の場合と同様の効果を奏することができることはいうまでもない。
【図面の簡単な説明】
【００４６】
【図１】実施の形態１に係るパンカールーバーの側断面図であり、吹出方向が取付壁体に対し直角である状態を示す。
【図２】同パンカールーバーの側断面図であり、吹出方向が取付壁体に対し傾斜している状態を示す。
【図３】実施の形態２に係るパンカールーバーの側断面図であり、吹出方向が取付壁体に対し直角である状態を示す。
【図４】同パンカールーバーの側断面図であり、吹出方向が取付壁体に対し傾斜している状態を示す。
【図５】従来一般のパンカールーバーの斜視図である。
【図６】同パンカールーバーの取付状態における断面図である。
【符号の説明】
【００４７】
１  本体部
２  環状固定部材
３  給気ダクト
１０  部分球体部
１１  入口側開口部
１２  吹出ノズル部
１３  シャッター
２１  外側枠部材
２２  内側枠部材
２３  球面支持部
２４  鍔状部
２５  球面支持部
２６  鍔状部
２８  第１シール材
３５  取付壁体
３５ａ  取付開口部
４１  外側断熱部材
４２  発泡樹脂成形品
４３  連絡通路
４４  第２シール材
４５  球状空間部
４６  テーパ状部
５１  内側断熱部材
５３  環状突出部
６１  外側断熱部
【図１】
2006046689.tif 000003
【図２】
2006046689.tif 000004
【図３】
2006046689.tif 000005
【図４】
2006046689.tif 000006
【図５】
2006046689.tif 000007
【図６】
2006046689.tif 000008